(57)【要約】【課題】重心位置を変化させることができ、振動を吸収する効果や弾性変形を緩和する空間を有し、充填材の色によって美感を高めることができるゴルフクラブヘッドを提供する。【解決手段】上に上部を有するヘッド本体と、前記ヘッド本体の正面に設けられるフェイスと、前記ヘッド本体の背面に設けられる開口部１３０と、前記ヘッド本体の前記上部に形成される第１槽１５０と、前記開口部の当接面に形成される第２槽１６０と、前記第１槽１５０と前記第２槽１６０に充填される充填材１７０とを備えるゴルフクラブヘッド。【選択図】図１
0003135188.tif 000002
【実用新案登録請求の範囲】
【請求項１】
上部を有するヘッド本体と、
前記ヘッド本体の正面に設けられるフェイスと、
前記ヘッド本体の背面に設けられる開口部と、
前記ヘッド本体の前記上部に形成される第１槽と、
前記開口部の当接面に形成される第２槽と、
前記第１槽と前記第２槽に充填される充填材とを備えるゴルフクラブヘッド。
【請求項２】
前記開口部に結合される蓋をさらに含む請求項１に記載のゴルフクラブヘッド。
【請求項３】
前記蓋は、比重が前記ヘッド本体の比重より小さい請求項２に記載のゴルフクラブヘッド。
【請求項４】
前記蓋は、比重が前記ヘッド本体の比重より大きい請求項２に記載のゴルフクラブヘッド。
【請求項５】
前記充填材は、比重が前記ヘッド本体の比重より小さい請求項１に記載のゴルフクラブヘッド。
【請求項６】
前記充填材は、比重が０．９〜２である請求項１に記載のゴルフクラブヘッド。
【請求項７】
前記充填材は、硬度がＳｈｏｒｅ  Ｄ４０〜Ｓｈｏｒｅ  Ｄ９０である請求項１に記載のゴルフクラブヘッド。
【請求項８】
前記充填材は、熱硬化性弾性体、熱可塑性弾性体、ゴム、ＰＵ弾性充填材、樹脂、ポリアミド樹脂、高分子重合材からなる群から選択される請求項１に記載のゴルフクラブヘッド。
【請求項９】
前記ヘッド本体は、それぞれ前記ヘッド本体の正面の両側に設けられるトウとヒールをさらに含み、前記第２槽は前記開口部と前記トウの間まで延伸する請求項１に記載のゴルフクラブヘッド。
【請求項１０】
前記ヘッド本体は、それぞれ前記ヘッド本体の正面の両側に設けられるトウとヒールをさらに含み、前記第２槽は前記開口部と前記ヒールの間まで延伸する請求項１に記載のゴルフクラブヘッド。
【請求項１１】
前記第１槽と前記第２槽は貫通している請求項１に記載のゴルフクラブヘッド。
【請求項１２】
前記ヘッド本体は、前記第１槽と前記第２槽の間に形成されるリブを含む請求項１に記載のゴルフクラブヘッド。
【請求項１３】
上部を有するヘッド本体と、
前記ヘッド本体の正面に設けられるフェイスと、
前記ヘッド本体の背面に設けられる開口部と、
前記ヘッド本体の前記上部に形成される第１槽と、
前記開口部の当接面に形成され、前記第１槽に貫通される第２槽と、
前記第１槽と前記第２槽に充填される充填材と、
前記第１槽と前記第２槽の間に形成されるリブとを備えるゴルフクラブヘッド。
【考案の詳細な説明】
【技術分野】
【０００１】
本考案は、ゴルフクラブヘッド、特に重心位置を変化させることができるゴルフクラブヘッドに関するものである。
【背景技術】
【０００２】
同じ力でさらにボールを遠く飛ばし、よりよい打撃効果を得るため、一般に、周知のゴルフクラブヘッドのフェイスの材質として、反発係数（Ｃｏｅｆｆｉｃｉｅｎｔ  ｏｆ  ｒｅｓｔｉｔｕｔｉｏｎ，ＣＯＲ）のよい材料が用いられる。また、ボールを打った後に発生した多くの振動を吸収して、打撃するときにフェイスのスウィートスポットで打たなかった場合に発生した振動がゴルファーの手に伝達することを防ぐため、ヘッド本体の材質として振動の吸収性のよい材質を用い、鉄―炭素の合金やステンレスが好ましい。
【０００３】
しかしながら、鉄―炭素の合金の比重は約７．８ｇ／ｃｍ３で、鉄―炭素の合金やステンレスのみを用いて（例えば１７−４ステンレス）ゴルフクラブヘッドを作る場合は、ボールを打撃するのにとってゴルフクラブヘッドの重心位置が悪いという問題がある。このような問題を解決するため、通常、ゴルフクラブヘッドの重心位置を変化させて、ゴルフクラブヘッドに他の重りを嵌め込むか他の軽量材質を組み合わせることが行われる。
【０００４】
ゴルフクラブヘッドの構造において、周知のゴルフクラブヘッドは、ヘッド本体の上部に開口部が設けられ、適当な強度を有する板部材、例えばカーボンファイバの板材が開口部の内と外側に結合されており、ヘッド本体が鉄―炭素の合金やステンレスからなり、鉄―炭素の合金の比重が約７．８ｇ／ｃｍ３であって、前記カーボンファイバの板材の比重が約１．８ｇ／ｃｍ３である。そして、ゴルフクラブヘッドは前記カーボンファイバの板材でヘッド本体の上部の一部をかわり、ゴルフクラブヘッドの重心位置を下及び後ろに調節し、慣性モーメント及び打撃性能を増す。
【０００５】
しかし、カーボンファイバの板材のみで、さらにヘッド本体と比重を差別化することができないため、ゴルフクラブヘッド全体の重心位置で下向きに調節できる範囲が制限される。
【考案の開示】
【考案が解決しようとする課題】
【０００６】
そこで、本考案は、重心位置をさらに変化させることができるゴルフクラブヘッドを提供することを課題とする。また、本考案は、振動を吸収する効果のあるゴルフクラブヘッドを提供することを課題とする。さらに、本考案は、ヘッド本体と蓋の間に弾性変形空間を持つゴルフクラブヘッドを提供することを課題とする。
【課題を解決するための手段】
【０００７】
前記課題を解決するため、本考案に係るゴルフクラブヘッドは、上部を有するヘッド本体と、前記ヘッド本体の正面に設けられるフェイスと、前記ヘッド本体の背面に設けられる開口部と、前記ヘッド本体の前記上部に形成される第１槽と、前記開口部の当接面に形成される第２槽と、前記第１槽と前記第２槽に充填される充填材とを備えている。
【０００８】
本考案に係るゴルフクラブヘッドは、前記第１槽と前記第２槽が貫通しており、前記第１槽と前記第２槽の間には、全体構造の強度を維持するリブが形成され、さらに前記開口部に結合される蓋を含む。
【０００９】
また、本考案に係るゴルフクラブヘッドは、前記蓋の比重が前記ヘッド本体の比重より小さくてもよいし大きくてもよい。前記充填材の比重は前記ヘッド本体の比重より小さく、前記充填材の比重が０．９〜２であることが好ましい。また、前記充填材の硬度がＳｈｏｒｅ  Ｄ４０〜Ｓｈｏｒｅ  Ｄ９０であることが好ましい。前記充填材は、熱硬化性弾性体、熱可塑性弾性体、ゴム、ＰＵ弾性充填材、樹脂、ポリアミド樹脂、高分子重合材からなる群から選択される。
【００１０】
本考案に係るゴルフクラブヘッドは、さらにそれぞれ前記ヘッド本体の正面の両側に設けられるトウとヒールを含み、前記第２槽は，前記開口部と前記トウおよび／または前記ヒールの間まで延伸する。
【００１１】
さらに、本考案に係るゴルフクラブヘッドは、上部を有するヘッド本体と、前記ヘッド本体の正面に設けられるフェイスと、前記ヘッド本体の背面に設けられる開口部と、前記ヘッド本体の前記上部に形成される第１槽と、前記開口部の当接面に形成され、前記第１槽に貫通される第２槽と、前記第１槽と前記第２槽に充填される充填材と、前記第１槽と前記第２槽の間に形成されるリブとを備えている。
【００１２】
これにより、本考案に係るゴルフクラブヘッドは、さらに重心位置を変化させることができ、振動を吸収する効果や弾性変形を緩和する空間を提供すると共に、充填材の色によって、ゴルフクラブヘッドの美感を高めることができる。
【考案を実施するための最良の形態】
【００１３】
本考案は多様の形態で実施することができるが、よりわかり易く説明するために図面および以下の説明に挙げられた例は、本考案の好適な実施形態であり、決して本考案を限定するものではない。
【００１４】
以下、本考案に係る実施形態を詳しく説明する。図１は本考案の第１実施形態に係るゴルフクラブヘッドを示す断面図、図２は第１実施形態に示すゴルフクラブヘッドの正面図、図３は第１実施形態に示すゴルフクラブヘッドの斜視図である。図１〜図３に示すように、本実施形態に係るゴルフクラブヘッドは、ヘッド本体１１０と、ヘッド本体１１０の正面に設けられており、ゴルフボール（図示せず）に直接接触して打撃するためのフェイス１２０と、ヘッド本体１１０の背面に設けられている開口部１３０と、ヘッド本体１１０に組み込まれている。比重はヘッド本体１１０の比重より小さくても大きくてもよく、ゴルフクラブヘッドの重心位置を変化させる蓋１４０と、ヘッド本体１１０に設けられている第１溝１５０と第２溝１６０と、第１溝１５０と第２溝１６０に充填されており、比重がヘッド本体１１０の比重より小さく、さらにゴルフクラブヘッドの重心位置を変化させる充填材１７０を備える。
【００１５】
図２に示すように、本実施形態に係るヘッド本体１１０は、材質として、炭素鋼（例えばＳ２０Ｃや８６２０炭素鋼）、ステンレス（例えば１７−４ＰＨステンレス）、合金鋼、鉄−マンガン−アルミ合金、ニッケル系合金、鋳鉄、チタン合金（例えばＣＰＴｉやＴｉ６Ａ１４Ｖチタン合金）、アルミ−マグネシウム合金、タングステン合金、銅合金などの金属材料が用いられる。加工法としてファウンド、モールド、機械加工、ダイカスト、鍛造などの方法を用いて必要に応じて一体的に成形してもよく、パーツを製造してから一体に組み立ててもよい。ヘッド本体１１０には、ヘッド本体１１０正面の両側に位置するトウ１１１とヒール１１２と、ヘッド本体１１０の上下に位置する上部１１３と底部１１４と、ヒール１１２の近辺に位置しヘッド本体１１０の片側から突出して、シャフト（図示せず）と接合するためのネック１１５を備える。
【００１６】
図２に示すように、本実施形態に係るフェイス１２０は、例えば、嵌合、圧着、ブレージング、熔接、螺合などの方法を用いてヘッド本体１１０の正面に結合されており、材質として、例えば、炭素鋼、ステンレス（例えば１７−４ＰＨステンレス）、鉄−マンガン−アルミ合金、チタン合金（例えばＴｉ６Ａ１４ＶやＣＰＴｉチタン合金）、アルミ合金、銅合金などの金属材料が用いられる。
【００１７】
図１と図３に示すように、本実施形態に係る開口部１３０はヘッド本体１１０の背面に設けられている。蓋１４０は開口部１３０でヘッド本体１１０に組み込まれ、ヘッド本体１１０と一体化される。開口部１３０は、蓋１４０に当接する当接面１３１を有する。蓋１４０は、例えば、嵌合、圧着、ブレージング、熔接、粘着、螺合などの方法を用いてヘッド本体１１０の背面に結合される。蓋１４０は、比重がヘッド本体１１０の比重より小さくてもよいし大きくてもよく、これによって、ヘッド本体１１０の重心を変化させる。また、蓋１４０は、いかなる材質からなることもできるが、高強度の金属や非金属の材質、例えば、比重４．０以下の軽量金属や比重８以上の重量金属（例えば銅合金、タングステン合金）、各種の高分子樹脂、高強度の繊維材料の板部材からなることが好ましい。
【００１８】
図１と図３に示すように、本実施形態において、ヘッド本体１１０の上部１１３に第１槽１５０が形成されており、ヘッド本体１１０の開口部１３０の当接面１３１内であって、開口部１３０と上部１１３の間に第２槽１６０が形成されている。第１槽１５０と第２槽１６０は、例えば、精密カスト、鋳造、機械加工、ダイカストなどの加工法によってヘッド本体１１０に形成されることができる。充填材１７０は、第１槽１５０と第２槽１６０に充填されており、比重が（例えば０．９〜２の数値）ヘッド本体１１０の比重より小さくてもよく、硬度はＳｈｏｒｅ  Ｄ４０〜Ｓｈｏｒｅ  Ｄ９０である。これによって、さらにゴルフクラブヘッドの重心位置を変化させることができる。
【００１９】
充填材１７０は色彩を有するものを用いてもよく、好ましくは熱硬化性や熱可塑性の弾性材質、または高分子重合材質、例えば、ＰＵ弾性充填材、樹脂、ポリアミド樹脂、ゴムなどが用いられる。これによって、ヘッド本体１１０の振動を吸収する効果を高める。充填材１７０は、第１槽１５０と第２槽１６０に充填されて硬化した後、自身の弾性で振動を吸収する効果を発揮し、ボールを打撃するときに発生する応力でヘッド本体１１０と蓋１４０の表面塗装の剥離や接続部分のひび割れの発生を防ぐことができる。
【００２０】
さらに、充填材１７０の色によってヘッド本体１１０の美感や付加価値を高めることができる。本実施形態においては、充填材１７０の色や、開口部１３０、蓋１４０、第１槽１５０の形状の変化によって、完成したゴルフクラブヘッドの外観に鮮やかな色、模様、図柄などの変化をもたせ、製品の付加価値を高める。
【００２１】
本実施形態に係るゴルフクラブヘッドを組み立てするときに、まず、充填材１７０を第１槽１５０及び第２槽１６０に充填する。次に、蓋１４０を開口部１３０に結合して、蓋１４０とヘッド本体１１０を一体化する。組み立てを完成したゴルフクラブヘッドは、第１槽１５０がヘッド本体１１０の上部１１３に位置するため、第１槽１５０に充填されてある充填材１７０によって、重心の位置を変化させ、振動を吸収し、ヘッド本体１１０の美感を高めることができる。第２槽１６０は開口部１３０の当接面１３１と蓋１４０の間に位置するため、第２槽１６０に充填されてある充填材１７０によって、重心位置を変化させ（重心を下げる）、振動を吸収し、弾性変形を緩和する空間を提供して、ヘッド本体１１０と蓋１４０の過密の組合による変形の可能性を低減することができる。
【００２２】
蓋１４０をヘッド本体１１０に結合した後、精密機械加工の工程によってゴルフクラブヘッドをバフ研磨して表面のトゲやバリを除去し、さらに塗装や保護ペイント及び包装を施すことができる。これによって、完成したゴルフクラブヘッドは外観がよりよくなり、スペックが揃う。
【００２３】
本実施形態に係るゴルフクラブヘッドは、充填材１７０を第１槽１５０と第２槽１６０に充填することによって、重心位置を変化させる（重心を下げる）ことで、ゴルフクラブヘッドにベストの打撃効果をもたらすことができる。また、振動の吸収や弾性変形を緩和する空間をもたせ、ゴルフクラブヘッドの美感を高める効果もある。
【００２４】
図４は本考案の第２実施形態に係るゴルフクラブヘッドを示す斜視図である。この第２実施形態において、第１実施形態と異なる部分のみを説明し、同様の構成については説明を省略する。第１実施形態に対して、第２実施形態において、第２槽２６０は、ヘッド本体１１０の開口部１３０の当接面１３１において、開口１３０と上部１１３の間に形成されており、両端部がトウ１１１とヒール１１２まで延伸され、長さや範囲が増やされる。このため、第２実施形態に係るゴルフクラブヘッドは、さらに重心位置を下げることができ、振動を吸収する効果や弾性変形の緩和する空間をさらに増すことができる。
【００２５】
図５は本考案の第３実施形態に係るゴルフクラブヘッドを示す断面図である。この第３実施形態において、第１実施形態と異なる部分のみを説明し、同様の構成については説明を省略する。第１実施形態と比較すると、第３実施形態における第１槽３５０と第２槽３６０が貫通されており、充填材１７０を充填する第１槽３５０と第２槽３６０からなる充填空間がさらに拡大され、重心位置を下げ、振動を吸収する効果や弾性変形の緩和する空間を増す。
【００２６】
この場合は、ヘッド本体１１０全体の強度を維持しゴルフクラブヘッドの打撃安定性を増すように、第１槽３５０と第２槽３６０の間にリブ３８０が形成される。第３実施形態において、ヘッド本体３１０は蓋１４０を有しておらず、ヘッド本体３１０が中空のヘッド構造になり、フェイス１２０と共にゴルフクラブヘッドを構成する。なお、ヘッド３１０の底部１１４には、ゴルフクラブヘッドの重心位置を調節するための重り（図示せず）を設けてもよい。
【００２７】
前記実施形態により、本考案に係るゴルフクラブヘッドは、第１槽と第２槽に充填された充填材によってゴルフクラブヘッドの重心位置を変化させ、振動を吸収し、弾性変形を緩和する空間を提供することができると共に、第１槽に充填された充填材の色を変化することによって、ゴルフクラブヘッドの美感を高めることができる。
【００２８】
本考案では好適な実施形態を前述の通り開示したが、これは決して本考案を限定するものではなく、当該分野の技術を熟知しているものであれば、本考案の精神と領域を逸脱しない範囲内で、多様の変動や修正を加えることができ、従って本考案の保護範囲は、実用新案登録請求の範囲で指定した内容を基準とする。
【図面の簡単な説明】
【００２９】
【図１】本考案の第１実施形態に係るゴルフクラブヘッドを示す断面図。
【図２】第１実施形態に示すゴルフクラブヘッドの正面図。
【図３】第１実施形態に示すゴルフクラブヘッドの斜視図。
【図４】本考案の第２実施形態に係るゴルフクラブヘッドを示す斜視図。
【図５】本考案の第３実施形態に係るゴルフクラブヘッドを示す断面図。
【符号の説明】
【００３０】
１１０：ヘッド本体、１１１：トウ、１１２：ヒール、１１３：上部、１１４：底部、１１５：ネック、１２０：フェイス、１３０：開口部、１３１：当接部、１４０：蓋、１５０：第１溝、１６０：第２溝、１７０：充填材、２６０：第２溝、３１０：ヘッド本体、３５０：第１溝、３６０：第２溝、３８０：リブ
【図１】
0003135188.tif 000003
【図２】
0003135188.tif 000004
【図３】
0003135188.tif 000005
【図４】
0003135188.tif 000006
【図５】
0003135188.tif 000007